(57)【要約】    【課題】  ダイジェスト映像を作成するための部分映像の抽出を容易にして編集性を向上させることができる画像処理装置を提供する。    【解決手段】  ビデオカメラ１００は、被写体の動画像を映像データとして取得するカメラ部１０１と、映像データを動画ファイルとして記録する記憶メディア１０５と、被写体を評価するための所定の成績に関する成績情報を示す記録値を取得する成績情報入力部１０６とを備える。記録値が更新される度に、記憶メディア１０５が記録中の動画ファイルを管理するための管理情報を書き込むための管理ファイルにチャプタ情報を画像区切り情報として書き込んで、記録中の動画像を分割する。【選択図】      図２
2006340108.tif 000002
【特許請求の範囲】
【請求項１】
画像に関連した情報を用いて複数の画像の中から所望の画像を検索可能な画像処理装置において、画像を所定の記憶メディアに入力する画像入力手段と、画像に関連する所定の関連情報を入力する関連情報入力手段と、前記関連情報入力手段による前記関連情報の入力に同期して前記入力中の画像を分割画像として分割する画像分割手段と、前記分割画像に前記入力された関連情報を関連付けるためのメタデータを作成するメタデータ作成手段とを備えることを特徴とする画像処理装置。
【請求項２】
前記分割画像を所定の再生順序で配列させたプレイリストを作成するプレイリスト作成手段と、前記作成されたプレイリストを再生する再生手段とを備えることを特徴とする請求項１記載の画像処理装置。
【請求項３】
前記プレイリストにおける前記分割画像の配列を前記関連情報に基づいた所定の並び替え条件に従って並び替えることにより前記分割画像の再生順序の変更を行う再生順序変更手段を備えることを特徴とする請求項２記載の画像処理装置。
【請求項４】
前記分割画像に隣接する隣接分割画像における前記分割画像の再生時間に連続する所定時間に対応する部分画像をのりしろ画像として前記分割画像に付加するのりしろ画像付加手段を備えることを特徴とする請求項２又は３記載の画像処理装置。
【請求項５】
前記のりしろ画像付加手段は、前記分割画像の再生時間の後に連続する所定時間に対応する部分画像、及び前記分割画像の再生時間の前に連続する所定時間に対応する部分画像のうち少なくとも一方を前記分割画像に付加することを特徴とする請求項４記載の画像処理装置。
【請求項６】
前記メタデータ作成手段は、前記のりしろ画像付加手段による前記のりしろ画像の付加を禁止するための禁止情報を前記作成されるメタデータに書き込むことを特徴とする請求項４又は５記載の画像処理装置。
【請求項７】
前記禁止情報は、前記分割画像と前記隣接分割画像とが時間的に非連続的な関係であることを示す非連続性情報から成ることを特徴とする請求項６記載の画像処理装置。
【請求項８】
前記分割画像に対して所定の削除順序を設定するための削除リストを作成する削除リスト作成手段を備えることを特徴とする請求項１乃至７のいずれか１項に記載の画像処理装置。
【請求項９】
前記所定の記憶メディアに入力可能な画像の容量を示す残容量が所定値以下になった場合に、前記分割画像のうち、前記所定の削除順序の上位から所定番目までの分割画像を削除する削除手段を備えることを特徴とする請求項８記載の画像処理装置。
【請求項１０】
前記画像分割手段は、前記分割の実行を示す画像区切り情報を、前記入力中の画像を格納する画像ファイルを管理するための管理情報を書き込むための管理ファイルに書き込む画像区切り情報書込み手段を備えることを特徴とする請求項１乃至９のいずれか１項に記載の画像処理装置。
【請求項１１】
前記メタデータ作成手段は、前記記憶メディアに対する前記分割画像の入力開始位置及び入力終了位置を示す情報を前記メタデータに書き込むことを特徴とする請求項１乃至１０のいずれか１項に記載の画像処理装置。
【請求項１２】
前記入力される画像は撮影した被写体の画像から成り、前記所定の関連情報は、前記被写体を評価するための所定の成績に関する成績情報から成ることを特徴とする請求項１乃至１１のいずれか１項に記載の画像処理装置。
【請求項１３】
画像に関連した情報を用いて複数の画像の中から所望の画像を検索するための画像処理方法において、画像を所定の記憶メディアに入力する画像入力ステップと、画像に関連する所定の関連情報を入力する関連情報入力ステップと、前記関連情報入力ステップにおける前記関連情報の入力に同期して前記入力中の画像を分割画像として分割する画像分割ステップと、前記分割画像に前記入力された関連情報を関連付けるためのメタデータを作成するメタデータ作成ステップとを有することを特徴とする画像処理方法。
【請求項１４】
前記分割画像を所定の再生順序で配列させたプレイリストを作成するプレイリスト作成ステップと、前記作成されたプレイリストを再生する再生ステップとを有することを特徴とする請求項１３記載の画像処理方法。
【請求項１５】
前記プレイリストにおける前記分割画像の配列を前記関連情報に基づいた所定の並び替え条件に従って並び替えることにより前記分割画像の再生順序の変更を行う再生順序変更ステップを有することを特徴とする請求項１４記載の画像処理方法。
【請求項１６】
前記分割画像に隣接する隣接分割画像における前記分割画像の再生時間に連続する所定時間に対応する部分画像をのりしろ画像として前記分割画像に付加するのりしろ画像付加ステップを有することを特徴とする請求項１４又は１５記載の画像処理方法。
【請求項１７】
前記のりしろ画像付加ステップは、前記分割画像の再生時間の後に連続する所定時間に対応する部分画像、及び前記分割画像の再生時間の前に連続する所定時間に対応する部分画像のうち少なくとも一方を前記分割画像に付加することを特徴とする請求項１６記載の画像処理方法。
【請求項１８】
前記メタデータ作成ステップは、前記のりしろ画像付加ステップにおける前記のりしろ画像の付加を禁止するための禁止情報を前記作成されるメタデータに書き込むことを特徴とする請求項１６又は１７記載の画像処理方法。
【請求項１９】
前記禁止情報は、前記分割画像と前記隣接分割画像とが時間的に非連続的な関係であることを示す非連続性情報から成ることを特徴とする請求項１８記載の画像処理方法。
【請求項２０】
前記分割画像に対して所定の削除順序を設定するための削除リストを作成する削除リスト作成ステップを有することを特徴とする請求項１３乃至１９のいずれか１項に記載の画像処理方法。
【請求項２１】
前記所定の記憶メディアに入力可能な画像の容量を示す残容量が所定値以下になった場合に、前記分割画像のうち、前記所定の削除順序の上位から所定番目までの分割画像を削除する削除ステップを有することを特徴とする請求項２０記載の画像処理方法。
【請求項２２】
前記画像分割ステップは、前記分割の実行を示す画像区切り情報を、前記入力中の画像を格納する画像ファイルを管理するための管理情報を書き込むための管理ファイルに書き込む画像区切り情報書込みステップを有することを特徴とする請求項１３乃至２１のいずれか１項に記載の画像処理方法。
【請求項２３】
前記メタデータ作成ステップは、前記記憶メディアに対する前記分割画像の入力開始位置及び入力終了位置を示す情報を前記メタデータに書き込むことを特徴とする請求項１３乃至２２のいずれか１項に記載の画像処理方法。
【請求項２４】
前記入力される画像は撮影した被写体の画像から成り、前記所定の関連情報は、前記被写体を評価するための所定の成績に関する成績情報から成ることを特徴とする請求項１３乃至２３のいずれか１項に記載の画像処理方法。
【請求項２５】
画像に関連した情報を用いて複数の画像の中から所望の画像を検索するための画像処理方法をコンピュータに実行させるプログラムにおいて、画像を所定の記憶メディアに入力する画像入力モジュールと、画像に関連する所定の関連情報を入力する関連情報入力モジュールと、前記関連情報入力モジュールによる前記関連情報の入力に同期して前記入力中の画像を分割画像として分割する画像分割モジュールと、前記分割画像に前記入力された関連情報を関連付けるためのメタデータを作成するメタデータ作成モジュールとを備えることを特徴とするプログラム。
【請求項２６】
請求項２５記載のプログラムを格納することを特徴とするコンピュータ読み取り可能な記憶媒体。
【発明の詳細な説明】
【技術分野】
【０００１】
本発明は、画像処理装置、画像処理方法、プログラム、及び記憶媒体に関し、特に、画像に関連した情報を用いて複数の画像の中から所望の画像を検索可能な画像処理装置、画像処理方法、プログラム、及び記憶媒体に関する。
【背景技術】
【０００２】
現在、動画像に対応する映像データ（以下、「映像ストリーム」という）を転送しながらリアルタイムに動画像を再生するストリーム再生（in-stream playback）を行うことによりディジタル放送などが可能である。ディジタル放送では、映像ストリームと共に、当該映像ストリーム中の事象（イベント）を定義する事象定義情報や映像ストリームの構造を定義する構造情報などから成るメタデータがインデックス情報として配信される。
【０００３】
上記ディジタル放送によって配信される映像ストリームからダイジェスト映像を作成するダイジェスト装置が提案されている（例えば、特許文献１参照）。このダイジェスト装置は、映像情報中のインデックスに基づいて対応する数値を所定のパラメータに設定し、インデックス及び数値に基づいて、映像情報の内容を数値の変化で表現した数値映像情報を生成するように構成されている。これにより、生成された数値映像情報の数値の変化に基づいて、映像ストリーム中の事象の中から重要な事象がどれであるかを判定することが可能となり、人手を介することなく、映像情報から容易にダイジェスト映像を作成することが可能となる。
【０００４】
また、このダイジェスト装置では、パラメータの種類、ユーザの好みのイベントとそのイベントに付与する値、作成するダイジェスト映像の総時間、及び数値映像情報の数値に対してダイジェスト映像として利用する映像を切り出すための基準となるピーク点を指定することが可能であり、利用者の嗜好を反映させたダイジェスト映像を作成することができる。
【特許文献１】特開２０００−２６１７５４号公報（段落［００３１］及び［０１０９］〜［０１１２］、図１）
【発明の開示】
【発明が解決しようとする課題】
【０００５】
しかしながら、上記ダイジェスト装置において、類似した場面が繰り返される内容の映像（以下、「連続映像」という）からダイジェスト映像を作成する場合、連続映像では上記数値映像情報の数値の変化が小さい。例えば、単一のコースを周回しているレーシングカーの車載カメラで撮影した連続映像や単一の会場において単一の場所で撮影したスキージャンプ競技の連続映像には周回毎又は競技者毎の映像上の違いが少ない。このため、映像上の違いに基づいて、映像ストリームに付加して配信すべきメタデータを作成するのが困難である。その結果、連続映像の中からダイジェスト映像として利用する所望の部分映像をメタデータに基づいて検索（抽出）して、ダイジェスト映像を作成するのが困難である。
【０００６】
本発明の目的は、ダイジェスト映像を作成するための部分映像の抽出を容易にして編集性を向上させることができる画像処理装置、画像処理方法、プログラム、及び記憶媒体を提供することにある。
【課題を解決するための手段】
【０００７】
上記目的を達成するために、本発明の画像処理装置は、画像に関連した情報を用いて複数の画像の中から所望の画像を検索可能な画像処理装置において、画像を所定の記憶メディアに入力する画像入力手段と、画像に関連する所定の関連情報を入力する関連情報入力手段と、前記関連情報入力手段による前記関連情報の入力に同期して前記入力中の画像を分割画像として分割する画像分割手段と、前記分割画像に前記入力された関連情報を関連付けるためのメタデータを作成するメタデータ作成手段とを備えることを特徴とする。
【０００８】
上記目的を達成するために、本発明の画像処理方法は、画像に関連した情報を用いて複数の画像の中から所望の画像を検索するための画像処理方法において、画像を所定の記憶メディアに入力する画像入力ステップと、画像に関連する所定の関連情報を入力する関連情報入力ステップと、前記関連情報入力ステップにおける前記関連情報の入力に同期して前記入力中の画像を分割画像として分割する画像分割ステップと、前記分割画像に前記入力された関連情報を関連付けるためのメタデータを作成するメタデータ作成ステップとを有することを特徴とする。
【０００９】
上記目的を達成するために、本発明のプログラムは、画像に関連した情報を用いて複数の画像の中から所望の画像を検索するための画像処理方法をコンピュータに実行させるプログラムにおいて、画像を所定の記憶メディアに入力する画像入力モジュールと、画像に関連する所定の関連情報を入力する関連情報入力モジュールと、前記関連情報入力モジュールによる前記関連情報の入力に同期して前記入力中の画像を分割画像として分割する画像分割モジュールと、前記分割画像に前記入力された関連情報を関連付けるためのメタデータを作成するメタデータ作成モジュールとを備えることを特徴とする。
【００１０】
上記目的を達成するために、本発明の記憶媒体は、上記プログラムを格納することを特徴とする。
【発明の効果】
【００１１】
本発明によれば、画像に関連する所定の関連情報の入力に同期して入力中の画像を分割画像として分割し、メタデータを作成することにより分割画像と関連情報とを一対一に関連付けるので、メタデータを用いた関連情報による分割画像の検索や抽出を容易にしてダイジェスト映像を作成する際の編集性を向上させることができる。
【００１２】
また、関連情報に基づいた所定の並び替え条件に従って並び替える変更を行った再生順序で分割画像を配列させたプレイリストを作成することにより、分割画像の再生順序をユーザが所望する再生順序に一致させることができ、ダイジェスト映像の作成を簡略化することができる。
【００１３】
さらに、分割画像に隣接する隣接分割画像における当該分割画像の再生時間に連続する所定時間に対応する部分画像をのりしろ画像として当該分割画像に付加することにより、分割画像の再生時間を長時間化させることができ、分割画像の編集性を向上させることができる。
【００１４】
さらには、上記メタデータに、上記のりしろ画像の付加を禁止するための禁止情報を書き込み可能に構成することにより、のりしろ画像の付加及びその禁止を容易に設定することができ、分割画像の編集性をより向上させることができる。
【発明を実施するための最良の形態】
【００１５】
以下、本発明の実施の形態を図面を参照しながら詳細に説明する。
【００１６】
図１は、本発明の実施の形態に係る画像処理装置の構成を概略的に示すブロック図である。
【００１７】
本実施の形態に係る画像処理装置としてのビデオカメラ１００は、被写体の動画像を撮影する撮影機能と、撮影した動画像を他の機器、例えばビデオテープレコーダに入力する入力機能とを有する。
【００１８】
図１において、ビデオカメラ１００は、被写体の動画像を映像データとして取得するカメラ部１０１と、カメラ部１０１から入力された信号に所定の信号処理を施して規格化された映像信号に変換する信号処理部１０２と、信号処理部１０２から入力された映像信号をビデオテープレコーダなどに記録するのに適した信号（以下、「映像データ」という）へ変換し符号化処理及び復号処理を施す画像処理部１０３と、メモリカードやディスク媒体などのランダムアクセス可能な記憶メディア１０５と、記憶メディア１０５に対する映像データや所定のデータの書き込み及び読み出しを行うためのメディアインタフェース（メディアＩ／Ｆ）１０４と、被写体を評価するための所定の成績に関する成績情報を示す記録値を無線通信又は有線通信により取得する成績情報入力部１０６と、ビデオカメラ１００全体を総合的に制御するマイクロコンピュータ（以下、「マイコン」という）１０７と、画像処理部１０３から入力された映像データを構成する画像信号及び音声信号を外部へ出力する出力部１１１とを備える。
【００１９】
上記カメラ部１０１及び信号処理部１０２は、ビデオカメラ１００の撮影機能を実現する。また、記憶メディア１０５は、メディアＩ／Ｆ１０４を介して入力された映像データを１つ又は複数の動画ファイルとして記録する。
【００２０】
マイコン１０７は、上記映像データに関連する複数の関連情報を含むメタデータを記憶メディア１０５への格納に適するように作成すると共に、記憶メディア１０５に対するメタデータの書き込み及び読み出しを行うメタデータ処理部１０８と、複数の映像データを所定の再生順序で配列させたプレイリストを作成するプレイリスト作成部１０９と、複数の映像データに対して所定の削除順序を設定するための削除リストを作成する削除リスト作成部１１０とを備える。また、メタデータ処理部１０８は、作成されるメタデータに、成績情報入力部１０６から入力された記録値を書き込むように構成されている。
【００２１】
図２は、図１のビデオカメラ１００の動画像記録中においてマイコン１０７によって実行されるメタデータ作成処理のフローチャートである。
【００２２】
図２において、まず、マイコン１０７は、成績情報入力部１０６がメタデータ処理部１０８に記録値を入力するのを待機し、成績情報入力部１０６から入力された記録値が更新すべきものであると判別したときは（ステップＳ２０１でＹＥＳ）、記憶メディア１０５が記録中の動画ファイルを管理するための管理情報を書き込むための管理ファイルにチャプタ情報を画像区切り情報として書き込む（ステップＳ２０２）。このとき、メタデータ処理部１０８は、チャプタ情報によって分割された動画ファイルに関連する関連情報として、更新前の記録値などを含むメタデータを作成する（ステップＳ２０３）。メタデータは、チャプタ情報によって分割された画像とメタデータに含まれた情報とを一対一に関連付けるものであり、対応する分割された画像の再生開始ポイント及び再生終了ポイントを決定可能にする。続くステップＳ２０４では、マイコン１０７は、メタデータ処理部１０８が作成したメタデータを記憶メディア１０５に送信してメタデータファイルとして保存し、本処理を終了する。
【００２３】
図２の処理によれば、客観的に測定される記録値が更新される度に、動画ファイルの管理ファイルにチャプタ情報が書き込まれる（ステップＳ２０２）ので、記録中の動画像を容易に分割することが可能となり、後述するプレイリストやダイジェスト映像を作成する際の編集性を向上させることができる。
【００２４】
また、チャプタ情報が書き込まれる度にメタデータが作成・保存される（ステップＳ２０３，Ｓ２０４）ので、記録値が更新される前後において映像上の違いが小さい場合であっても、客観的に測定される記録値に基づいて、対応する部分映像の再生開始ポイント及び再生終了ポイントを決定可能なメタデータを作成することができ、チャプタ情報によって分割された画像とメタデータに含まれる情報とを一対一に関連付けることが可能となり、後述するプレイリストやダイジェスト映像を作成する際の編集性をより向上させることができる。
【００２５】
以下、本実施の形態に係る画像処理装置の第１の実施例を説明する。
【００２６】
本実施例に係る画像処理装置は、サーキット場において単一のコースを周回しているレーシングカーの車載カメラである。
【００２７】
図３（ａ）は、サーキット場の構成を概略的に示す図であり、図３（ｂ）は、図３（ａ）のサーキット場において周回するレーシングカーの車載カメラの撮影処理に関連するタイミングチャートである。
【００２８】
図３（ａ）において、サーキット場には、移動体としてのレーシングカーが周回自在なコース路面３１が設けられている。コース路面３１上には、レーシングカーの周回の基準となる始点・終点を示すコントロールライン３５が描かれており、また、コントロールライン３５の地下には、磁石３６が埋設されている。コース路面３１上では、例えば２台のレーシングカー３０，７５が周回している。
【００２９】
レーシングカー３０は、磁石３６からの磁気を感知するための磁気センサ３２と、磁気センサ３２からの磁気感知信号に同期してラップタイムを計測するストップウォッチ３３と、ストップウォッチ３３に接続された車載カメラとしてのビデオカメラ３４とを備える。ストップウォッチ３３に接続されたビデオカメラ３４は、図１のビデオカメラ１００と同様に構成されており、ストップウォッチ３３が上記成績情報入力部１０６として機能する。
【００３０】
レーシングカー７５は、レーシングカー３０と同様に構成されており、磁気センサ７２と、ストップウォッチ７３と、ストップウォッチ３３に接続された車載カメラとしてのビデオカメラ７４とを備える。
【００３１】
図３（ｂ）のタイミングチャートに示すように、ビデオカメラ７４を用いて動画像の記録（録画）を開始させると、まず、メディアＩ／Ｆ１０４は、Ｉ／Ｆ処理として、カメラ部１０１からの動画像を映像データとして記憶メディア１０５に記録すべく、ファイル名が「01.mpg」の動画ファイルを作成し、撮影処理としては動画像の撮影が開始される。
【００３２】
周回コース路面３１へ進入したレーシングカー７５は、コントロールライン３５上を通過する。レーシングカー７５がコントロールライン３５上を通過するという事象（イベント）が発生している間において、例えば時刻Ｔ１のタイミングでは、磁気センサ７２が磁石３６の磁気を感知して、ストップウォッチ７３は、１周目のラップタイムの計測を開始する。また、メディアＩ／Ｆ１０４は、分割処理として、動画ファイルの管理ファイルに１周目の画像区切り情報を示すチャプタ情報を書き込む。
【００３３】
その後、レーシングカー７５は、引き続き周回コース路面３１上を周回し、時刻Ｔ２のタイミングでコントロールライン３５上を再度通過する。この時刻Ｔ２のタイミングでは、磁気センサ７２が磁石３６の磁気を感知して、ストップウォッチ７３は、１周目のラップタイムの計測を終了すると共に、２周目のラップタイムの計測を開始する。計測された１周目のラップタイムは、マイコン１０７へ記録値として入力される。
【００３４】
また、時刻Ｔ２のタイミングでは、メディアＩ／Ｆ１０４は、分割処理として、上記動画ファイルの管理ファイルに２周目の画像区切り情報を示すチャプタ情報を書き込む。これにより、動画ファイルにおいて１周目の映像Ａの映像データ３１０ａが特定可能になる。
【００３５】
さらに、図３（ｂ）における時刻Ｔ２以降のタイミングにおいて、マイコン１０７内のメタデータ処理部１０８は、映像Ａの映像データ３１０ａに関連付けられた図４（ａ）に示すメタデータ４００ａを作成し、動画ファイルと共に記憶メディア１０５に保存する。
【００３６】
図４（ａ）に示すように、メタデータ４００ａには、映像データ３１０ａを格納する動画ファイルと同一のファイル名が付与される。また、メタデータ４００ａには、ファイル名、計測されたラップタイムとしての記録値、記録値の種類を示す記録種類、記録値が図３（ｂ）に示す時刻Ｔにおいて単発的で時間的に非連続的なものであるのか又は時間的に連続的なものであるのかをそれぞれ「ＯＦＦ」又は「ＯＮ」で示す記録連続性、記録値の発生者としてのレーシングカー７５に関する情報「７５」を示す記録発生者、並びに動画ファイルに対する動画像の入力位置を示す情報として開始位置及び終了位置を記録する。
【００３７】
メタデータ４００ａに関して、記録連続性には、ユーザが予め選択した「ＯＮ」又は「ＯＦＦ」が設定されており、また、記録発生者には、ユーザが予め登録したものが設定されている。なお、記録連続性は、ビデオカメラ７４にストップウォッチ７３が成績情報入力部１０６として接続されている場合には、自動的に「ＯＮ」が設定されるように構成されていてもよい。
【００３８】
その後は、レーシングカー７５の周回に合わせて、録画終了まで、例えば時刻Ｔ３，Ｔ４のタイミングで、上述した処理と同様の処理が行われる。その結果、動画ファイルには、２周目の映像Ｂの映像データ３１０ｂ及び３周目の映像Ｃの映像データ３１０ｃが記録され、記憶メディア１０５には、動画ファイルと共に、映像Ｂの映像データ３１０ｂに関連付けられた図４（ｂ）に示すメタデータ４００ｂ、及び映像Ｃの映像データ３１０ｃに関連付けられた図４（ｃ）に示すメタデータ４００ｃが保存される。
【００３９】
また、ビデオカメラ３４でも同様に、レーシングカー３０の周回に合わせて、録画開始から録画終了までの時間において、時刻Ｔ１，Ｔ２，Ｔ３，Ｔ４のタイミングで、上述した処理と同様の処理が行われる。その結果、ファイル名が「01.mpg」の動画ファイルには、１周目の映像Ｄの映像データ３１０ｄ、２周目の映像Ｅの映像データ３１０ｅ、及び３周目の映像Ｆの映像データ３１０ｆが記録され、記憶メディア１０５には、動画ファイルと共に、映像Ｄの映像データ３１０ｄに関連付けられた図４（ｄ）に示すメタデータ４００ｄ、映像Ｅの映像データ３１０ｅに関連付けられた図４（ｅ）に示すメタデータ４００ｅ、及び映像Ｆの映像データ３１０ｆに関連付けられた図４（ｆ）に示すメタデータ４００ｆが保存される。メタデータ４００ｄ〜４００ｆの記録発生者には、例えばレーシングカー３０に関する情報「３０」が設定されている。
【００４０】
図５は、図１におけるプレイリスト作成部１０９によって実行されるプレイリスト作成処理のフローチャートである。
【００４１】
本処理は、動画ファイルの映像Ａ〜Ｃに対応する映像データ３１０ａ〜３１０ｃを所定の順序で配列したファイル（以下、「プレイリスト」という）を作成するための処理である。
【００４２】
図５において、まず、ステップＳ１００１では、図４（ａ）〜（ｃ）のメタデータ４００ａ〜４００ｃを読み込み、記録連続性が「ＯＮ」であるか否かを判別し（ステップＳ１００２）、記録連続性が「ＯＮ」であるときは、各映像データ３１０ａ〜３１０ｃに対して予め設定されている所定ののりしろ時間を読み込む（ステップＳ１００３）。なお、のりしろ時間は、各映像データ３１０ａ〜３１０ｃの再生時間の前後に付加される時間であり、各映像データの再生時間の前後に連続する映像データの所定の再生時間に該当する。
【００４３】
続くステップＳ１００４では、図３（ｂ）に示すように、映像Ａには上記のりしろ時間に対応するのりしろ画像３２０ａ，３２０ａ’が付加されて、映像データ３００ａが作成される。同様に、映像Ｂにはのりしろ画像３２０ｂ，３２０ｂ’が付加されて、映像データ３００ｂが作成され、映像Ｃにはのりしろ画像３２０ｃ，３２０ｃ’が付加されて、映像データ３００ｃが作成される。したがって、映像Ａに対応する映像データ３００ａは、１周目の映像Ａよりものりしろ画像３２０ａに設定されたのりしろ時間の分だけさかのぼった再生開始が可能となると共に、映像Ａよりものりしろ画像３２０ａ’に設定されたのりしろ時間の分だけ遅れた再生終了が可能となり、映像データ３１０ａよりも映像Ａの再生時間を拡大させることができる。同様に、映像Ｂに対応する映像データ３００ｂや映像Ｃに対応する映像データ３００ｃも、映像データ３１０ｂや映像データ３１０ｃよりも再生時間が拡大される。なお、のりしろ画像を付加したときは、対応するメタデータの開始位置及び終了位置の値を変更するか、又は対応する新規のメタデータを作成することが好ましい。
【００４４】
続くステップＳ１００５では、のりしろ画像３２０ａ〜３２０ｃ’が付加されている映像データ３００ａ〜３００ｃを所定の順序、例えば撮影された時刻が早い順（メタデータの開始時刻が早い順）で配列したファイル（以下、「プレイリスト」という）が作成される。このプレイリストは、自動的に、又はユーザの所定の操作により出力部１１１を介して再生される。
【００４５】
なお、ステップＳ１００２の判別の結果、記録連続性が「ＯＦＦ」であるときは、のりしろ画像３２０ａ〜３２０ｃ’が付加されていない映像データ３１０ａ〜３１０ｃが撮影された時刻の順序で配列されたプレイリストが作成される。
【００４６】
図５の処理によれば、映像Ａ〜Ｃの映像データ３１０ａ〜３１０ｃに、のりしろ画像３２０ａ〜３２０ｃ’が付加される（ステップＳ１００４）ので、作成されたプレイリストを再生したときに、映像Ａ〜Ｃだけが順次再生されることをなくして、ユーザは、レーシングカー７５がコントロールライン３５上を通過している時間、完全に通過した後の時間などにおいてもレーシングカー７５の様子を把握することができる。
【００４７】
また、図４（ｄ）〜（ｆ）のメタデータ４００ｄ〜４００ｆに対応する映像Ｄ〜Ｆの映像データ対しても図５の処理を実行することにより、のりしろ画像が付加された映像データが配列されたプレイリストをレーシングカー３０について作成可能である。
【００４８】
図６は、図３（ａ）におけるビデオカメラ３４及びビデオカメラ７４で撮影された動画ファイルを第３のビデオカメラにコピーするときの状態を示す図である。
【００４９】
図６における第３のビデオカメラ５０は、図１のビデオカメラ１００と同様に構成されており、ビデオカメラ５０の記憶メディア１０５を備える。なお、ビデオカメラ５０は、図１におけるカメラ部１０１及び信号処理部１０２を備えていないもの、即ちビデオテープレコーダであってもよい。また、図６に示すように、ビデオカメラ５０には、図３（ａ）におけるビデオカメラ３４及びビデオカメラ７４が接続されている。なお、ビデオカメラ５０には、ビデオカメラ３４及びビデオカメラ７４の一方だけが接続されてもよい。
【００５０】
図６において、ビデオカメラ５０の記憶メディア１０５には、接続されたビデオカメラ７４からコピー対象の動画ファイルが、その映像Ａ〜Ｃの映像データ３１０ａ〜３１０ｃに対応するメタデータ４００ａ〜４００ｃと共に入力される。このとき、ビデオカメラ５０のマイコン１０７のメタデータ処理部１０８は、入力された動画ファイルのファイル名及びメタデータのファイル名を所定の変更ルールにしたがって変更する。
【００５１】
具体的には、メタデータ４００ａが入力されてビデオカメラ５０の記憶メディア１０５内に作成されたメタデータ４００ａ’のファイル名を、当該入力されたメタデータの記録値発生者「７５」とファイル名「01.mpg」とを組み合わせたファイル名「75_01.mpg」に変更する。なお、ビデオカメラ７４から動画ファイルが入力されて記憶メディア１０５内に作成（コピー）された動画ファイルのファイル名もメタデータと同様に変更される。即ち、変更ルールは、入力されたメタデータ又は動画ファイルのファイル名の頭部に、当該入力されたメタデータの記録発生者を追加するものである。
【００５２】
また、ビデオカメラ５０のメタデータ処理部１０８は、接続されたビデオカメラ３４からメタデータ４００ｄが入力されてビデオカメラ５０の記憶メディア１０５内に作成されたメタデータ４００ｄ’のメタデータのファイル名を、当該入力されたメタデータの記録値発生者「３０」とファイル名「01.mpg」とを組み合わせたファイル名「30_01.mpg」に変更する。なお、ビデオカメラ３４から動画ファイルが入力されて記憶メディア１０５内に作成（コピー）された動画ファイルのファイル名もメタデータと同様に変更される。
【００５３】
図６を用いて説明したように、ビデオカメラ５０は、入力されたメタデータのファイル名を所定の変更ルールに従って変更したメタデータを作成するので、複数のビデオカメラ３４，７４で作成された動画ファイルのファイル名が同一であっても、メタデータのファイル名及びコピーされた動画ファイルのファイル名の重複を防止することができる。その結果、ユーザは、コピーされた動画ファイルのファイル名を変更する必要がなくなり、ユーザの操作性を向上させることができる。
【００５４】
なお、上記図６を用いた説明では、ビデオカメラ５０にビデオカメラ３４，７４で作成された動画ファイルをコピーしたが、ビデオカメラ３４，７４で作成されたプレイリストをコピーしてもよい。また、コピーされる映像データ３１０ａ〜３１０ｃは、のりしろ画像３２０ａ〜３２０ｃ’が付加されている映像データ３００ａ〜３００ｃであってもよい。
【００５５】
また、ビデオカメラ５０は、コピーした複数の動画ファイル、例えば上記ファイル名が「75_01.mpg」及び「30_01.mpg」の２つの動画ファイルに対して図５のプレイリスト作成処理を実行してもよい。この場合には、例えば、図７に示すように、ファイル名「75_01.mpg」の動画ファイルのメタデータ４００ａの開始位置が、ファイル名「30_01.mpg」の動画ファイルのメタデータ４００ｄの開始位置よりも前なので、映像データ３００ａ，３００ｂ，３００ｃの再生順序のプレイリストの後に、映像データ３００ｄ，３００ｅ，３００ｆの再生順序のプレイリストが結合されたプレイリストが作成される。このプレイリストを再生することにより、ユーザは、レーシングカー７５の様子を把握した後に、レーシングカー３０の様子を把握することができる。
【００５６】
図８は、図７に示したようなプレイリストにおける映像データの再生順序を変更するためのプレイリスト変更処理のフローチャートである。
【００５７】
本処理は、上記ビデオカメラ５０によって作成された図７のプレイリストにおける映像データの配列を、記録値に基づいて、図９（ａ）乃至図９（ｃ）に示すような配列のいずれか１つの配列に変更する処理である。なお、映像データとしては、のりしろ画像が付加されている映像データを例に挙げて説明する。
【００５８】
図８において、まず、ユーザが、並び替え条件としてメタデータの記録値の順序を指定して、プレイリストにおける映像データの配列を並び替えて映像データの再生順序を変更することを所望したときは（ステップＳ１１０１でＹＥＳ）、ユーザによって指定された並び替え条件が、メタデータの記録値の小さい順であるか否かを判別し（ステップＳ１１０２）、並び替え条件が小さい順であったときは、プレイリストの全ての映像データに対応するメタデータの記録値を読み込み（ステップＳ１１０３）、メタデータの記録値が小さい順となるようにプレイリストにおける映像データの配列を並び替えた新規のプレイリストを作成して（ステップＳ１１０４）、本処理を終了する。
【００５９】
図９（ａ）は、上記ステップＳ１１０４で作成されたプレイリストを示す図である。図９（ａ）に示すプレイリストでは、メタデータの記録値が小さい順、即ちレーシングカー３０，７５のラップタイムが速い順に映像Ａ〜Ｆに対応する映像データの配列が並び替えられている。
【００６０】
また、ユーザによって指定された並び替え条件が、メタデータの記録値の小さい順ではなく（ステップＳ１１０２でＮＯ）、大きい順であったときは（ステップＳ１１０５でＹＥＳ）、プレイリストの全ての映像に対応するメタデータの記録値を読み込み（ステップＳ１１０６）、メタデータの記録値が大きい順となるようにプレイリストにおける映像データの配列を並び替えた新規のプレイリストを作成して（ステップＳ１１０７）、本処理を終了する。
【００６１】
図９（ｂ）は、上記ステップＳ１１０７で作成されたプレイリストを示す図である。図９（ｂ）に示すプレイリストでは、メタデータの記録値が大きい順、即ちレーシングカー３０，７５のラップタイムが遅い順に映像Ａ〜Ｆに対応する映像データの配列が並び替えられている。
【００６２】
また、ユーザによって指定された並び替え条件が、メタデータの記録値の小さい順及び大きい順ではなく（ステップＳ１１０２且つステップＳ１１０５でＮＯ）、所定の基準値（指定値）に近い順であり、映像Ａ〜Ｆの配列を並び替えるために、ユーザが基準値を指定したときは（ステップＳ１１０８）、プレイリストの全ての映像に対応するメタデータの記録値を読み込み（ステップＳ１１０９）、メタデータの記録値が指定された基準値に近い順となるようにプレイリストにおける映像データの配列を並び替えた新規のプレイリストを作成して（ステップＳ１１１０）、本処理を終了する。
【００６３】
図９（ｃ）は、上記ステップＳ１１１０で作成されたプレイリストを示す図である。図９（ｃ）に示すプレイリストでは、メタデータの記録値が指定された基準値に近い順、即ちレーシングカー３０，７５のラップタイムが基準タイム、例えば「１分５５秒」に近い順に映像Ａ〜Ｆに対応する映像データの配列が並び替えられている。
【００６４】
図８の処理によれば、客観的に測定されて書き込まれたメタデータにおける記録値に基づいてプレイリストにおける映像データの配列を並び替える（ステップＳ１１０４，Ｓ１１０７，Ｓ１１１０）ので、希望の順序で映像データの配列を並び替えたプレイリストを作成することができ、ユーザはプレイリストにおける映像の再生順序の編集を容易に行うことができる。具体的には、図５の処理によって作成されたプレイリストにおける映像データの配列（映像が撮影された時刻が早い順（メタデータの開始時刻が早い順）の配列を、ユーザが所望する再生順序、例えば客観的に測定される記録値の順と一致させることができる。
【００６５】
なお、図８の処理では、並び替え対象を、プレイリスト中の全ての動画ファイル（映像Ａ〜Ｆ）としたが、メタデータの記録発生者を指定可能に構成することにより、指定された記録発生者に関連する動画ファイルに限定してもよい。これにより、指定された記録発生者、すなわち、特定のビデオカメラからコピーした動画ファイルだけで構成されたプレイリストを作成することができる。
【００６６】
また、上記ステップＳ１１０４，Ｓ１１０７，Ｓ１１１０では、新規のプレイリストを作成するとしたが、新規のプレイリストを作成することなく作成済みのプレイリストを書き替えてもよい。
【００６７】
以下、本実施の形態に係る画像処理装置の第２の実施例を説明する。
【００６８】
本実施例に係る画像処理装置は、単一の会場で開催されているスキージャンプ競技を単一の場所で撮影するビデオカメラである。
【００６９】
図１０（ａ）は、スキージャンプ競技を開催している会場の構成を概略的に示す図であり、図１０（ｂ）は、図１０（ａ）の会場において開催されているスキージャンプ競技を撮影するビデオカメラの撮影処理に関連するタイミングチャートである。
【００７０】
図１０（ａ）に示す会場では、被写体としての複数の競技者４３がスキージャンプ競技を順次行っている。会場には、競技者４３の得点を表示するための得点表示板４４と、得点表示板４４に表示すべき情報を処理して得点表示板４４に得点を表示させる表示情報サーバ４５と、表示情報サーバ４５に接続された無線ＬＡＮ送信機４６と、スキージャンプ競技を単一の場所で撮影するビデオカメラ４８と、ビデオカメラ４８に接続された無線ＬＡＮ受信機４７とが設置されている。無線ＬＡＮ受信機４７は、無線ＬＡＮ送信機４６と無線を介して接続されている。
【００７１】
図１０（ａ）において、表示情報サーバ４５は、得点表示板４４に得点を表示させるタイミングに同期して、無線ＬＡＮ送信機４６及び無線ＬＡＮ受信機４７を介してビデオカメラ４８に得点を配信する。従って、表示情報サーバ４５、無線ＬＡＮ送信機４６、及び無線ＬＡＮ受信機４７は、図１における成績情報入力部１０６として機能することになり、これらに接続されたビデオカメラ４８は、図１のビデオカメラ１００と同様に構成される。
【００７２】
図１０（ｂ）のタイミングチャートに示すように、時刻Ｔ０においてビデオカメラ４８を用いて動画像の記録（録画）を開始させると、まず、メディアＩ／Ｆ１０４は、Ｉ／Ｆ処理として、カメラ部１０１からの動画像を記憶メディア１０５に記録すべく、ファイル名が「02.mpg」の動画ファイルを作成し、撮影処理としては動画像の撮影が開始される。
【００７３】
競技者４３は時刻Ｔ０以降のタイミングでスキージャンプ競技を開始して着地し、着地した後には競技者４３の記録値（ポイント）が計測され、ポイントに応じた得点が得点表示板４４に配信されて表示される。また、この得点はビデオカメラ４８にも記録値として配信される。競技者４３が着地し得点表示板４４及びビデオカメラ４８に得点が配信されるという事象（イベント）が発生している間において、次の競技者４３がスキージャンプ競技を開始する前の、例えば時刻Ｔ１のタイミングでは、メディアＩ／Ｆ１０４は、分割処理として、ファイル名が「02.mpg」の動画ファイルの管理ファイルに１周目の画像区切り情報を示すチャプタ情報を書き込む。これにより、動画ファイルにおいて１本目の映像αの映像データが特定可能になる。
【００７４】
さらに、図１０（ｂ）における時刻Ｔ１以降のタイミングにおいて、マイコン１０７内のメタデータ処理部１０８は、映像αの映像データに関連付けられた図１１（ａ）に示すメタデータを作成し、記憶メディア１０５に保存する。
【００７５】
このメタデータの記録連続性には「ＯＦＦ」が設定されている。これは、第１の実施例で説明したラップタイムのような記録値は、記録値が更新される前後の時刻においても連続的に計測する必要があるのに対して、本実施例のスキージャンプ競技の記録値としての得点は、競技と競技の合間に計測されるからである。しかしながら、記録連続性に「ＯＮ」を設定してもよいし、記録種類に応じて「ＯＮ」又は「ＯＦＦ」を選択的に設定してもよい。
【００７６】
また、記録発生者には、各競技者４３を特定する氏名などが録画時間内に登録される。なお、記録発生者の登録が録画時間内に終わらないときは、チャプタ情報が書き込まれて新規のメタデータが作成される度に、新規のメタデータに対応する映像の競技者４３を区別可能な数値又は文字列（キャラクタ）が記録発生者として登録されるように構成されている。
【００７７】
その後は、競技者４３の競技本数に合わせて、録画終了まで、例えば時刻Ｔ２，Ｔ３のタイミングで、上述した処理と同様の処理が行われる。その結果、動画ファイルには、２本目の映像βの映像データの３本目の映像γの映像データが記録され、記憶メディア１０５には、動画ファイルと共に、映像βの映像データに関連付けられた図１１（ｂ）に示すメタデータ、及び映像γの映像データに関連付けられた図１１（ｃ）に示すメタデータが保存される。
【００７８】
上述したように撮影された映像α〜γの映像データを含む動画ファイルには、上記図５の処理が施され、これらの映像データが配列されたプレイリストが作成される。なお、メタデータの記録連続性が「ＯＦＦ」であるので、プレイリストの各映像α〜γの映像データにはのりしろ画像の付加が禁止されている。上記第１の実施例と比較すれば分かるように、メタデータの記録連続性に応じて、のりしろ画像の付加及びその付加の禁止のいずれか一方に切り替えるので、ダイジェスト映像としてのプレイリストを作成する際の編集性を向上させることができる。
【００７９】
図１２（ａ）及び図１２（ｂ）は、上記図８のプレイリスト変更処理が施されて作成されたプレイリストを例示する図である。
【００８０】
図１２（ａ）に示すプレイリストでは、メタデータの記録値が小さい順、即ち得点が低い順に映像α〜γに対応する映像データの配列が並び替えられており、図１２（ｂ）に示すプレイリストでは、メタデータの記録値が大きい順、即ち得点が高い順に映像α〜γに対応する映像データの配列が並び替えられている。
【００８１】
以下、上記実施の形態の変形例を説明する。
【００８２】
上記実施の形態では、記録値が更新される度に１つの動画ファイルの管理ファイルにチャプタ情報を書き込んだ（図２及び図３（ｂ））が、本変形例では、１つの動画ファイルにチャプタ情報を書き込むことに代えて、図３（ａ）と同様のサーキット場で行われる撮影処理のタイミングチャートである図１３に示すように、記録値が更新される度に新規に動画ファイルを作成する。
【００８３】
図１４は、図１３のタイミングチャートにおいて実行されるメタデータ作成処理のフローチャートである。
【００８４】
図１４において、まず、マイコン１０７は、成績情報入力部１０６がメタデータ処理部１０８に記録値を入力するのを待機し、例えば図１３の時刻Ｔ２において、成績情報入力部１０６から入力された記録値が更新すべきものであると判別したときは（ステップＳ９０１でＹＥＳ）、記憶メディア１０５が、例えば図１３の時刻Ｔ１〜Ｔ２の間の映像Ａ’の映像データを記録したファイル名が「01.mpg」の動画ファイルを閉じて（クローズして）、記憶メディア１０５はクローズした動画ファイルを保存する（ステップＳ９０２）。
【００８５】
このとき、メタデータ処理部１０８は、クローズした動画ファイルに関連する関連情報として、更新前の記録値などを含むメタデータを作成すると共に（ステップＳ９０３ａ）、削除リスト作成部１１０は、クローズされた１つ以上の動画ファイルに対して所定の削除順位を設定するための削除リストを作成し、当該削除リストにクローズしたファイル名「01.mpg」の動画ファイルを格納する（ステップＳ９０３ｂ）。この削除リストを閲覧したときには、格納されている各動画ファイル内のデータを確認し易いように、図１５（ａ）に示すように、データの内容が映像Ａ’であることを示すようにリストアップされることが好ましい。また、これに代えて、動画ファイルのファイル名やメタデータがリストアップされたり、データの内容の一部である静止画像などがリストアップされたりしてもよい。
【００８６】
続くステップＳ９０４では、マイコン１０７は、メタデータ処理部１０８が作成したメタデータを記憶メディア１０５に送信してメタデータファイルとして保存する。
【００８７】
続いて、マイコン１０７は、新規の動画ファイル、例えばファイル名が「02.mpg」の動画ファイルを記憶メディア１０５内に作成（オープン）して、例えば映像Ｂ’の映像データの記録を開始して、被写体の撮影を継続する。
【００８８】
また、削除リスト作成部１１０は、削除リスト内の動画ファイルに、削除順位を付与することにより配列の並び替えを行う（ステップＳ９０６）。削除順位は、メタデータの記録値に基づいた所定の並び替え条件、例えば記録値の大きい順に従って決定される。該並び替え条件としては、記録値の大きい順、記録値の小さい順などがある。なお、削除リスト内に格納されている動画ファイルが１つであるときは、図１５（ａ）に示すように、その動画ファイルの削除順位として「１」が付与される。
【００８９】
続くステップＳ９０７では、マイコン１０７は、録画中の記憶メディア１０５に入力可能な映像データの容量を示す残容量が所定値以下であるか否か、即ち残容量が少ないか否かを判別する。該判別の結果、記憶メディア１０５の残容量が十分にある場合においては（ステップＳ９０７でＮＯ）、ユーザが所望の動画ファイルを選択して不図示の手動削除命令キーを押下することにより、選択した動画ファイルに対する手動削除を行うことが可能である。
【００９０】
この手動削除を行わないときは（ステップＳ９１０でＮＯ）、ステップＳ９０１に戻って、再び記録値が入力されるのを待機し、図１３における時刻Ｔ３，Ｔ４のタイミングで記録値が更新されると、ステップＳ９０２〜Ｓ９０６の処理を行う。これにより、映像Ｃ，’Ｄ’の映像データを記録するためのファイル名「02.mpg」，「03.mpg」の動画ファイルが記憶メディア１０５内に作成されると共に、図１５（ｂ），（ｃ）に示すような削除リストが作成される。
【００９１】
一方、撮影の継続により、記憶メディア１０５の残容量が少なくなったときは（ステップＳ９０７でＹＥＳ）、削除リストの削除順位に従って、具体的には、記録値の大きい順で上位からｎ（ｎは１以上整数）番目まで（以下、「上位ｎ位」という）の動画ファイル、例えば上位１位の映像Ａ’の動画ファイル及びそれに関連するメタデータを削除し（ステップＳ９０８）、削除リストの削除順位を図１５（ｄ）に示すように繰り上げる更新を行って（ステップＳ９０９）、本処理を終了する。
【００９２】
また、ユーザが、例えば映像Ａ’の動画ファイルの手動削除を行うために、手動削除命令キーが押下したときは（ステップＳ９１０でＹＥＳ）、選択した映像Ａ’の動画ファイル及びそれに関連するメタデータを削除すると共に、削除リストの削除順位を図１５（ｄ）に示すように更新して（ステップＳ９０９）、本処理を終了する。
【００９３】
図１４の処理によれば、記憶メディア１０５の残容量が少ないときは（ステップＳ９０７でＹＥＳ）、記録値に基づいて決定された削除順位に従って動画ファイル、例えば映像Ａ’の動画ファイル及びそれに関連するメタデータを削除する（ステップＳ９０８）ので、記憶メディア１０５の残容量を確実に確保することができると共に、確保された残容量を有する記憶メディア１０５内に新規の動画ファイル、例えば映像Ｄ’の動画ファイルを作成して動画像の撮影を継続することができる。これは、削除される映像Ａ’の動画ファイルに対して新規の映像Ｄ’の動画ファイルを上書き記録しているのと同様の効果を奏すると云える。したがって、ユーザは、手動削除を行うことなく上書き記録を行うことができるので、時刻Ｔ４において記録動作を中断することをなくしてユーザの操作性を向上させることができる。
【００９４】
また、客観的に測定される記録値が更新される度に、記録中の動画ファイルをクローズして（ステップＳ９０２）、新規の動画ファイルを作成する（ステップＳ９０５）ので、図２の処理と同様に、記録中の動画像を容易に分割することが可能となり、プレイリストやダイジェスト映像を作成する際の編集性を向上させることができる。
【００９５】
さらに、新規の動画ファイルを作成する度にクローズした動画ファイルのメタデータが作成・保存される（ステップＳ９０３ａ，Ｓ９０４）ので、図２の処理と同様に、記録値が更新される前後において映像上の違いが小さい場合であっても、客観的に測定される記録値に基づいてメタデータを作成することができ、動画ファイルのクローズ及びオープンによって分割された画像ファイルとメタデータに含まれる情報とを一対一に関連付けることが可能となり、プレイリストやダイジェスト映像を作成する際の編集性をより向上させることができる。
【００９６】
なお、上記変形例において、削除リストにおける並び替え条件は、メタデータの記録値に基づくとしたが、記録値以外の情報に基づいてもよく、例えば、メタデータの開始位置及び終了位置で特定される記録時間の長い順、記録時間の短い順、また、メタデータの開始位置が早い順、遅い順などを含む。例えば、この並び替え条件として、メタデータの開始位置が早い順を設定することにより、記憶メディア１０５の複数の動画ファイルのうち、記録された時刻が最も古い動画ファイルから削除することができる。
【００９７】
上記実施の形態に係る画像処理装置は、ビデオカメラ１００としたが、これに限られることはなく、記憶メディア１０５上に記録された映像データに対応する静止画像や動画像を処理可能な画像処理装置であればいかなるものであってもよい。
【００９８】
また、上記実施の形態において、記憶メディア１０５は、ランダムアクセス可能なメモリカードやディスク媒体などであるとしたが、画像データが記憶可能な記憶媒体であればいかなるものであってもよい。
【００９９】
また、本発明の目的は、上述した実施の形態の機能を実現するソフトウェアのプログラムコードを記録した記憶媒体を、システム或いは装置に供給し、そのシステム或いは装置のコンピュータ（又はＣＰＵやＭＰＵなど）が記憶媒体に格納されたプログラムコードを読み出して実行することによっても達成される。
【０１００】
この場合、記憶媒体から読み出されたプログラムコード自体が上記実施の形態の機能を実現することになり、そのプログラムコード及び該プログラムコードを記憶した記憶媒体は本発明を構成することになる。
【０１０１】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。又は、プログラムコードをネットワークを介してダウンロードしてもよい。
【０１０２】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施の形態の機能が実現される場合も含まれる。
【０１０３】
更に、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施の形態の機能が実現される場合も含まれる。
【産業上の利用可能性】
【０１０４】
本発明の実施の形態に係る画像処理装置は、画像に関連した情報を用いて複数の画像の中から所望の画像を検索するための画像処理装置に適用することができる。
【図面の簡単な説明】
【０１０５】
【図１】本発明の実施の形態に係る画像処理装置の構成を概略的に示すブロック図である。
【図２】図１の画像処理装置としてのビデオカメラの動画像記録中においてマイコンによって実行されるメタデータ作成処理のフローチャートである。
【図３】本実施の形態に係る画像処理装置の第１の変形例を説明するための図であり、（ａ）は、サーキット場の構成を概略的に示す図であり、（ｂ）は、（ａ）のサーキット場において周回するレーシングカーの車載カメラの撮影処理に関連するタイミングチャートである。
【図４】第１の実施例において作成されたメタデータを例示する図であり、（ａ）〜（ｃ）は、図３（ａ）の第１のレーシングカーの車載カメラが撮影した動画ファイルに関連付けて図３（ｂ）における時刻Ｔ２，Ｔ３，Ｔ４において作成されたメタデータを示す図であり、（ｄ）〜（ｆ）は、図３（ａ）の第２のレーシングカーの車載カメラが撮影した動画ファイルに関連付けて図３（ｂ）における時刻Ｔ２，Ｔ３，Ｔ４において作成されたメタデータを示す図である。
【図５】図１におけるプレイリスト作成部によって実行されるプレイリスト作成処理のフローチャートである。
【図６】図３（ａ）における２つのビデオカメラ及びビデオカメラで撮影された動画ファイルを第３のビデオカメラにコピーするときの状態を示す図である。
【図７】図６の第３のビデオカメラによって作成されたプレイリストの一例を示す図である。
【図８】図７に示したようなプレイリストにおける映像データの再生順序を変更するためのプレイリスト変更処理のフローチャートである。
【図９】図８のプレイリスト変更処理において作成されたプレイリストを例示する図であり、（ａ）は、図８のステップＳ１１０４で作成されたプレイリストを示す図であり、（ｂ）は、図８のステップＳ１１０７で作成されたプレイリストを示す図であり、（ｃ）は、図８のステップＳ１１１０で作成されたプレイリストを示す図である。
【図１０】本実施の形態に係る画像処理装置の第２の変形例を説明するための図であり、（ａ）は、スキージャンプ競技を開催している会場の構成を概略的に示す図であり、（ｂ）は、（ａ）の会場において開催されているスキージャンプ競技を撮影するビデオカメラの撮影処理に関連するタイミングチャートである。
【図１１】第２の実施例において、図１０（ｂ）における時刻Ｔ１，Ｔ２，Ｔ３において作成されたメタデータを示す図である。
【図１２】図８のプレイリスト変更処理が施されて作成されたプレイリストを例示する図であり、（ａ）は、メタデータの記録値が小さい順に並び替えられたプレイリストを示す図であり、（ｂ）は、メタデータの記録値が大きい順に並び替えられたプレイリストを示す図である。
【図１３】本発明の実施の形態の変形例において、図３（ａ）と同様のサーキット場で行われる撮影処理のタイミングチャートである。
【図１４】図１３のタイミングチャートにおいて実行されるメタデータ作成処理のフローチャートである。
【図１５】本発明の実施の形態の変形例において作成された削除リストを例示する図であり、（ａ）〜（ｃ）は、図１３における時刻Ｔ２，Ｔ３，Ｔ４において作成された削除リストを示す図であり、（ｄ）は、図１４のステップＳ９０９において更新された削除リストを示す図である。
【符号の説明】
【０１０６】
３３，７３  ストップウォッチ
３４，４８，５０，７４，１００  ビデオカメラ
４５  表示情報サーバ
１０４  記憶メディアＩ／Ｆ
１０５  記憶メディア
１０６  成績情報入力部
１０７  マイクロコンピュータ（マイコン）
１０８  メタデータ処理部
１０９  プレイリスト作成部
１１０  削除リスト作成部
【図１】
2006340108.tif 000003
【図２】
2006340108.tif 000004
【図３】
2006340108.tif 000005
【図４】
2006340108.tif 000006
【図５】
2006340108.tif 000007
【図６】
2006340108.tif 000008
【図７】
2006340108.tif 000009
【図８】
2006340108.tif 000010
【図９】
2006340108.tif 000011
【図１０】
2006340108.tif 000012
【図１１】
2006340108.tif 000013
【図１２】
2006340108.tif 000014
【図１３】
2006340108.tif 000015
【図１４】
2006340108.tif 000016
【図１５】
2006340108.tif 000017